(57)【要約】【課題】不使用時にコンパクトに折り畳むことが可能で、収納されたサンドイッチが潰されないよう保護するサンドイッチ用収納容器を提供すること。【解決手段】サンドイッチ用収納容器１は、背面部２と、背面部２の一方の長辺から折目を介して延設された直角二等辺三角形の第１の側面部３と、背面部２の一方の短辺から折目を介して延設された底面部４と、底面部４の一方の長辺から折目を介して延設された直角二等辺三角形の第２の側面部５と、底面部４の一方の短辺から折目を介して延設された蓋部６と、蓋部６の一方の短辺から折目を介して延設された固定部７とを備え、使用時には背面部２と第１の側面部３、底面部４、第２の側面部５により形成される空間にサンドイッチが収納され、蓋部６により斜面が被覆され、固定部７が背面部２側に回り込み、該固定部７の第１のボタン１６が、該背面部２の第２のボタンに嵌合され、固定される。【選択図】  図１
0003151030.tif 000002
【実用新案登録請求の範囲】
【請求項１】
背面部と、前記背面部の一方の長辺から折目を介して延設された直角二等辺三角形の第１の側面部と、前記背面部の一方の短辺から折目を介して延設された底面部と、前記底面部の一方の長辺から折目を介して延設された直角二等辺三角形の第２の側面部と、前記底面部の一方の短辺から折目を介して延設された蓋部と、前記蓋部の一方の短辺から折目を介して延設された固定部と、を備え、
使用時には前記背面部と前記第１の側面部、前記底面部、前記第２の側面部により形成される空間にサンドイッチが収納され、前記蓋部により斜面が被覆され、前記固定部が前記背面部側に回り込み、該固定部に設けられた第１のボタンが、該背面部に設けられた第２のボタンに嵌合され固定され、
不使用時には、少なくとも前記第１の側面部、前記第２の側面部、前記蓋部が折目により折り曲げられ、前記固定部に設けられた第１のボタンが、前記底面部に設けられた第３のボタンに嵌合され固定される
ことを特徴とするサンドイッチ用収納容器。
【請求項２】
前記第１の側面部、前記第２の側面部を不使用時に折り曲げる折目は、該第１の側面部、第２の側面部を、前記直角二等辺三角形の斜辺に垂直な直線で２分するものである
ことを特徴とする請求項１に記載のサンドイッチ用収納容器。
【請求項３】
前記第１の側面部の斜辺から折目を介して延設された第１の接片と、前記第２の側面部の斜辺から折目を介して延設された第２の接片と、前記蓋部の長辺の一部から折目を介してそれぞれ延設された２つの差し込み部と、前記第１の側面部及び第２の側面部の斜辺の一部にそれぞれ設けられた２つのスリット部とを更に備え、前記蓋部により斜面を被覆する際には、前記差し込み部が前記スリット部に差し込まれ、不使用時には前記第１及び第２の接片も折目により折り曲げられる
ことを特徴とする請求項１に記載のサンドイッチ用収納容器。
【請求項４】
不使用時には、前記底面部が前記背面部に重なるように折り込まれ、前記蓋部が前記背面部に重なるように折り込まれた後、折目に沿って折り込まれ、該蓋部の一部が前記固定部と共に前記底面部側に折り重ねられ、前記固定部に設けられた第１のボタンが前記底面部に設けられた第３のボタンに嵌合される
ことを特徴とする請求項１に記載のサンドイッチ用収納容器。
【請求項５】
上記各部がポリプロピレンで生成される
ことを特徴とする請求項１乃至４のいずれかに記載のサンドイッチ用収納容器。
【考案の詳細な説明】
【技術分野】
【０００１】
本考案は、スーパーやコンビニエンスストア等で販売されているフィルムで包装された状態のサンドイッチを収納し、保護することができるサンドイッチ用収納容器に関する。
【背景技術】
【０００２】
従来、スーパーやコンビニエンスストアの店頭では、略三角形のサンドイッチがフィルムにより包装されて販売されている。
【０００３】
このフィルムによる包装に代わるものとして、複数個の平面視直角三角形状のサンドイッチを厚さ方向に並べて収納するサンドイッチ用包装用紙箱であって、対向する第１側壁及び第２側壁を備え、第１側壁の斜辺に折目を介して方形状の蓋片が設けられたサンドイッチ用包装用紙箱も提案されている（例えば、特許文献１参照。）。
【先行技術文献】
【特許文献】
【０００４】
【特許文献１】特開２００４−１９６３２３号公報
【考案の概要】
【考案が解決しようとする課題】
【０００５】
しかしながら、スーパーやコンビニエンスストア等でサンドイッチを購入し、それを鞄等に入れて持ち運ぶ場合、上記フィルムにより包装された状態では、鞄の中の荷物によりサンドイッチが押しつ潰されてしまうこともある。これは、前述した従来技術に係る紙製のサンドイッチ用包装用紙箱の場合も同様である。
【０００６】
このような観点から、スーパーやコンビニエンスストア等でサンドイッチを購入した場合に、それが鞄の中の荷物により押し潰されないように保護する収納容器の実現が嘱望されている。そして、そのような収納容器は、それを収納容器として使用しない場合にはコンパクトに折り畳んで携帯できることが求められている。
【０００７】
そこで、本考案は上述の技術的な課題に鑑み、使用しない場合にはコンパクトに折り畳むことが可能で、収納されたサンドイッチが潰されないように保護することができるサンドイッチ用収納容器を提供することを目的とする。
【課題を解決するための手段】
【０００８】
上述技術的な課題を解決するため、本考案の一つの態様に係るサンドイッチ用収納容器は、背面部と、背面部の一方の長辺から折目を介して延設された直角二等辺三角形の第１の側面部と、背面部の一方の短辺から折目を介して延設された底面部と、底面部の一方の長辺から折目を介して延設された直角二等辺三角形の第２の側面部と、底面部の一方の短辺から折目を介して延設された蓋部と、蓋部の一方の短辺から折目を介して延設された固定部とを備え、使用時には背面部と第１の側面部、底面部、第２の側面部により形成される空間にサンドイッチが収納され、蓋部により斜面が被覆され、固定部が背面部側に回り込み、該固定部に設けられた第１のボタンが該背面部に設けられた第２のボタンに嵌合され固定され、不使用時には、少なくとも第１の側面部、第２の側面部、蓋部が折目により折り曲げられ、固定部に設けられた第１のボタンが、底面部に設けられた第３のボタンに嵌合され固定されることを特徴とする。
【０００９】
この態様において、第１の側面部、第２の側面部を不使用時に折り曲げる折目は、該第１の側面部、第２の側面部をその斜辺に垂直な直線で２分するものであることとしてもよい。さらに、第１の側面部の斜辺から折目を介して延設された第１の接片と、第２の側面部の斜辺から折目を介して延設された第２の接片と、蓋部の長辺の一部から折目を介してそれぞれ延設された２つの差し込み部と、第１の側面部及び第２の側面部の斜辺の一部にそれぞれ設けられた２つのスリット部とを更に備え、蓋部により斜面を被覆する際には差し込み部が前記スリット部に差し込まれ、不使用時には第１及び第２の接片も折目により折り曲げられるようにしてもよい。また、不使用時には、底面部が背面部に重なるように折り込まれ、蓋部が背面部に重なるように折り込まれた後、折目に沿って折り込まれ、該蓋部の一部が固定部と共に底面部側に折り重ねられ、固定部に設けられた第１のボタンが底面部に設けられた第３のボタンに嵌合されるようにしてもよい。そして、上記各部がポリプロピレンで生成されることとしてもよい。
【考案の効果】
【００１０】
本考案に係るサンドイッチ用収納容器によれば、使用しない場合にはコンパクトに折り畳むことが可能で、収納されたサンドイッチが潰されないように保護することができる。
【図面の簡単な説明】
【００１１】
【図１】本考案の一実施形態に係るサンドイッチ用収納容器にサンドイッチを収納するときの態様を正面から見た斜視図である。
【図２】本考案の一実施形態に係るサンドイッチ用収納容器にサンドイッチを収納するときの態様を後方から見た斜視図である。
【図３】本考案の一実施形態に係るサンドイッチ用収納容器にサンドイッチを収納するときの態様を後方から見た他の斜視図である。
【図４】本考案の一実施形態に係るサンドイッチ用収納容器を使用しない場合に折り畳む様子を示す斜視図である。
【図５】本考案の一実施形態に係るサンドイッチ用収納容器を使用しない場合に折り畳む様子を示す他の斜視図である。
【図６】本考案の一実施形態に係るサンドイッチ用収納容器を使用しない場合に折り畳む様子を示す更に他の斜視図である。
【図７】本考案の一実施形態に係るサンドイッチ用収納容器の展開図である。
【考案を実施するための形態】
【００１２】
以下、本考案のサンドイッチ用収納容器に係る好適な実施形態につき図面を参照しながら説明する。なお、本考案のサンドイッチ用収納容器は、以下の記述に限定されるものではなく、本考案の要旨を逸脱しない範囲において、適宜変更可能である。
【００１３】
図１乃至図３には本考案の一実施形態に係るサンドイッチ用収納容器にフィルムで包装されたサンドイッチを収納するときの様子を斜視図で示し、図４乃至図６には本考案の一実施形態に係るサンドイッチ用収納容器を使用しない場合にコンパクトに折り畳む様子を斜視図で示し、図７の展開図を適宜参照しつつ、当該サンドイッチ用収納容器について説明する。
【００１４】
図７に示されるように、このサンドイッチ用収納容器１は、背面部２と、背面部２の一方の長辺から折目Ｌ１を介して延設された直角二等辺三角形の第１の側面部３と、背面部２の一方の短辺から折目Ｌ２を介して延設された底面部４と、底面部４の一方の長辺から折目Ｌ３を介して延設された直角二等辺三角形の第２の側面部５と、底面部４の一方の短辺から折目Ｌ４を介して延設された蓋部６と、蓋部６の一方の短辺から折目Ｌ５を介して延設された固定部７と、第１の側面部３の斜辺から折目Ｌ６を介して延設された接片８と、第１の側面部３の一方の短辺から折目Ｌ７を介して延設された接片９と、第２の側面部５の斜辺から折目Ｌ８を介して延設された接片１０と、第２の側面部５の一方の短辺から折目Ｌ９を介して延設された接片１１と、蓋部６の２つの長辺の各一部から各折目Ｌ１０，Ｌ１１を介してそれぞれ延設された差し込み部１２，１３と、第１の側面部３の斜辺の一部に設けられた差し込み部１３が差し込まれるスリット部１４と、第２の側面部５の斜辺の一部に設けられた差し込み部１２が差し込まれるスリット部１５とを備えている。
【００１５】
固定部７には第１のボタン１６が設けられており、背面部２には第１のボタン１６と嵌合する第２のボタン１７が設けられており、底面部４には第１のボタン１６と嵌合する第３のボタン１８が設けられている。さらに、第１の側面部３と第２の側面部５には、使用しないといに折り込むための折目Ｌ１２，Ｌ１３が設けられている。折目Ｌ１２は直角二等辺三角形の第１の側面部３を斜辺に垂直な直線で２分するものであり、折目Ｌ１３は直角二等辺三角形の第２の側面部５を斜辺に垂直な直線で２分するものである。この折目Ｌ１２，１３は、接片８，１０をも２分するものである。
【００１６】
また、蓋部６には使用しないときに折り畳むための折目Ｌ１４が設けられている。この折目Ｌ１４は、使用しないときに蓋部６が背面部２に折り重ねられた後、底面部４側に折り込むべく、蓋部６を２つの領域に分けるものである。
【００１７】
実際の使用時には、即ち、フィルムで包装されたサンドイッチを収納する場合には、以下のようにしてサンドイッチ用収納容器１を組み立てる。即ち、第１の側面部３を折目Ｌ１に沿って山折りで９０度折り込み、接片９を折目Ｌ７に沿って山折りで９０度折り込む。続いて、背面部２を折目Ｌ２に沿って山折りで９０度折り込む。そして、第２の側面部５を折目Ｌ３に沿って山折りで９０度折り込み、接片１１を折目Ｌ９に沿って山折りで９０度折り込む。そして背面部２、第１の側面部３、底面部４、第２の側面部５により形成される空間にフィルムで包装されたサンドイッチを収納し、接片８，１０を折目Ｌ６，Ｌ８に沿って山折りで９０度折り込む。続いて、蓋部６を折目Ｌ４に沿って山折りで１３５度折り込むことになるが、その過程を示したのが図１である。
【００１８】
このとき、差し込み部１２を折目Ｌ１０に沿って山折りで９０度折り込み、差し込み部１３を折目Ｌ１１に沿って山折りで９０度折り込み、蓋部６を折目Ｌ４に沿って山折りで１３５度折り込む過程で該差し込み部１２，１３をスリット部１５，１４に差し込む。こうして、蓋部６により蓋をした状態、即ち斜面を被覆した状態は図２に示される。
【００１９】
この状態で、固定部７を折目Ｌ５に沿って山折りで１３５度折り込むことになる。そして、折り込んで、第１のボタン１６が第２のボタン１７と嵌合された状態は図３に示される。こうして、コンビニやスーパー等で販売されているフィルムで包装されたサンドイッチは、本サンドイッチ用収納容器１に収納され、外部の圧力からサンドイッチは潰されないように保護されることになる。
【００２０】
一方、本容器１を使用しないときには、以下のようにコンパクトに折り畳むことができるようになっている。即ち、第１の側面部３及び接片８を折目Ｌ１２に沿って山折りで１８０度折り込み、第２の側面部５及び接片１０を折目Ｌ１３に沿って山折りで１８０度折り込む。そして、底面部４を折目Ｌ２に沿って山折りで１８０度折り込む。この状態を示したのが図４である。続いて、差し込み部１２，１３を折目Ｌ１０，Ｌ１１に沿って山折りで１８０度折り込み、蓋部６を折目Ｌ４に沿って山折りで１８０度折り込む。即ち、蓋部６を背面部２の上に折り重ねる。そして、蓋部６を折目Ｌ１４に沿って山折りで折り込み、該蓋部６の一部が固定部７と共に底面部４側に回り込むようにする。この様子を示したのが図５である。
【００２１】
こうして、蓋部６を折目Ｌ１４に沿って山折りで１８０度折り込み、蓋部６の一部と固定部７を底面部４の上に折り重ね、第１のボタン１６を第３のボタン１８に嵌合して固定する。この様子を示したのが、図６である。
【００２２】
このように折り畳んだ状態で第１のボタン１６と第３のボタン１８が嵌合して固定されるので、不使用時に鞄の中に入れて携帯していても、不本意に展開してしまうような事態が防止されることになる。しかも、コンパクトに折りたたまれているので、携帯する上でもスペースをとらず、邪魔にならない点も特徴的である。
【００２３】
尚、この実施形態に係るサンドイッチ用収納容器１の材質としては、熱可塑性樹脂を採用することができ、その一例としてはポリプロピレン（polypropylene）を採用することができる。従って、その性質から紙よりも強固な構成が実現され、収納されたサンドイッチを外圧により潰されないように保護することができる。
【００２４】
以上説明したように、本考案の一実施形態に係るサンドイッチ用収納容器１は、背面部２と、この背面部２の一方の長辺から折目Ｌ１を介して延設された直角二等辺三角形の第１の側面部３と、背面部２の一方の短辺から折目Ｌ２を介して延設された底面部４と、底面部４の一方の長辺から折目Ｌ３を介して延設された直角二等辺三角形の第２の側面部５と、底面部４の一方の短辺から折目Ｌ４を介して延設された蓋部６と、蓋部６の一方の短辺から折目Ｌ５を介して延設された固定部７とを備え、使用時には背面部２と第１の側面部３、底面部４、第２の側面部５により形成される空間にサンドイッチが収納され、蓋部６により斜面が被覆され、固定部７が背面部２側に回り込み、該固定部７に設けられた第１のボタン１６が、該背面部２に設けられた第２のボタン１７に嵌合され固定され、不使用時には、少なくとも第１の側面部３、第２の側面部５、蓋部６が折目Ｌ１２，Ｌ１３，Ｌ１４により折り曲げられ、固定部７に設けられた第１のボタン１６が、底面部４に設けられた第３のボタン１８に嵌合され固定されることを特徴とする。
【００２５】
また、第１の側面部３、第２の側面部５を不使用時に折り曲げる折目Ｌ１２，Ｌ１３は該第１の側面部３、第２の側面部５を、直角二等辺三角形の斜辺に垂直な直線で２分するものである。比較的面積の大きい第１の側面部３、第２の側面部５、蓋部６を折り曲げることで、使用しないときの大きさをコンパクトにすることができる。
【００２６】
また、第１の側面部３の斜辺から折目Ｌ６を介して延設された接片８と、第２の側面部５の斜辺から折目Ｌ８を介して延設された接片１０と、蓋部６の長辺の一部から折目Ｌ１０，Ｌ１１を介してそれぞれ延設された差し込み部１２，１３と、第１の側面部３の斜辺の一部に設けられた差し込み部１３が差し込まれるスリット部１４と、第２の側面部５の斜辺の一部に設けられた差し込み部１２が差し込まれるスリット部１５とを更に備え、蓋部６により斜面を被覆する際には、差し込み部１２，１３がスリット部１５，１４に差し込まれ、不使用時には接片８，１０も折目Ｌ１２，Ｌ１３により折り曲げられることを更に特徴とする。
【００２７】
さらに、不使用時には、底面部４が背面部２に重なるように折り込まれ、蓋部６が背面部２に重なるように折り込まれた後、折目Ｌ１４に沿って折り込まれ、該蓋部６の一部が固定部７と共に底面部４側に折り重ねられ、固定部７に設けられた第１のボタン１６が底面部４に設けられた第３のボタン１８に嵌合され固定されることを特徴とする。
【００２８】
従って、コンビニやスーパーなどで購入したサンドイッチを簡易に収納することができ、鞄の中の荷物により押しつぶされないように保護することができる。しかも、不使用時には、コンパクトに折りたたまれるので、日常的に携帯することも可能である。
【符号の説明】
【００２９】
１  サンドイッチ用収納容器
２  背面部
３  第１の側面部
４  底面部
５  第２の側面部
６  蓋部
７  固定部
８〜１１  接片
１２、１３  差し込み部
１４，１５  スリット部
１６  第１のボタン
１７  第２のボタン
１８  第３のボタン
Ｌ１〜Ｌ１４  折目
【図１】
0003151030.tif 000003
【図２】
0003151030.tif 000004
【図３】
0003151030.tif 000005
【図４】
0003151030.tif 000006
【図５】
0003151030.tif 000007
【図６】
0003151030.tif 000008
【図７】
0003151030.tif 000009